(57)【要約】  本開示のいくつかの態様は、通信システムに関し、より詳細には、ランダムアクセスチャネル（ＲＡＣＨ）送信が、補助ＵＬ（ＳＵＬ）キャリアを含み得る異なるＵＬキャリア上で送られ得る展開における、ＲＡＣＨプロシージャに関する。
2020537407.tif 000002
【特許請求の範囲】
【請求項１】
ユーザ機器（ＵＥ）によるワイヤレス通信のための方法であって、
少なくとも２つの利用可能なアップリンクキャリアから選択されたアップリンクキャリア上でランダムアクセスチャネル（ＲＡＣＨ）を送信することと、
前記ＲＡＣＨがその上で送信された前記アップリンクキャリアに基づいて、ダウンリンクキャリア上で送信されるランダムアクセスチャネル応答（ＲＡＲ）を監視するための探索空間を決定することと、
前記決定された探索空間中で前記ＲＡＲを監視することと
を備える、方法。
【請求項２】
前記探索空間を決定することは、
前記ＲＡＣＨがその上で送信された前記アップリンクキャリアのためのキャリアインデックスに基づいて、制御情報を伝達するために構成された時間および周波数リソースを含む、制御リソースセット（ｃｏｒｅｓｅｔ）を決定することと、
前記決定されたｃｏｒｅｓｅｔ内から前記探索空間を選択することと
を備える、請求項１に記載の方法。
【請求項３】
前記探索空間を決定することは、
前記ＲＡＣＨがその上で送信された前記アップリンクキャリアのためのキャリアインデックスに基づいて、制御情報を伝達するために構成された時間および周波数リソースを含む、同じ制御リソースセット（ｃｏｒｅｓｅｔ）内の少なくとも２つの異なる探索空間から探索空間を決定すること
を備える、請求項１に記載の方法。
【請求項４】
前記探索空間を決定することは、
前記ＲＡＣＨがその上で送信された前記アップリンクキャリアのためのヌメロロジーに基づいて、制御情報を伝達するために構成された時間および周波数リソースを含む、同じ制御リソースセット（ｃｏｒｅｓｅｔ）内の少なくとも２つの異なる探索空間から探索空間を決定すること
を備える、請求項１に記載の方法。
【請求項５】
前記ＲＡＣＨがその上で送信された前記アップリンクキャリアに基づいてランダムアクセス無線ネットワーク一時識別子（ＲＡ−ＲＮＴＩ）を決定することと、
前記ＲＡＲを監視するために、前記決定されたＲＡ−ＲＮＴＩを使用することと
をさらに備える、請求項１に記載の方法。
【請求項６】
前記少なくとも２つの利用可能なアップリンクキャリアが、異なるヌメロロジーを有し、
前記ＲＡ−ＲＮＴＩはまた、前記ＲＡＣＨがその上で送信された前記アップリンクキャリアの前記ヌメロロジーに基づいて決定される、
請求項５に記載の方法。
【請求項７】
ネットワークエンティティによるワイヤレス通信のための方法であって、
少なくとも２つの利用可能なアップリンクキャリアからのアップリンクキャリア上でランダムアクセスチャネル（ＲＡＣＨ）を受信することと、
前記ＲＡＣＨがその上で送信された前記アップリンクキャリアに基づいて、ダウンリンクキャリア上でランダムアクセスチャネル応答（ＲＡＲ）を送信するために使用すべき探索空間を決定することと、
前記決定された探索空間中で前記ＲＡＲを送信することと
を備える、方法。
【請求項８】
前記探索空間を決定することは、
前記ＲＡＣＨがその上で送信された前記アップリンクキャリアのためのキャリアインデックスに基づいて、制御情報を伝達するために構成された時間および周波数リソースを含む、制御リソースセット（ｃｏｒｅｓｅｔ）を決定することと、
前記決定されたｃｏｒｅｓｅｔ内から前記探索空間を選択することと
を備える、請求項７に記載の方法。
【請求項９】
前記探索空間を決定することは、
前記ＲＡＣＨがその上で送信された前記アップリンクキャリアのためのキャリアインデックスに基づいて、制御情報を伝達するために構成された時間および周波数リソースを含む、同じ制御リソースセット（ｃｏｒｅｓｅｔ）内の少なくとも２つの異なる探索空間から探索空間を決定すること
を備える、請求項７に記載の方法。
【請求項１０】
前記探索空間を決定することは、
前記ＲＡＣＨがその上で送信された前記アップリンクキャリアのためのヌメロロジーに基づいて、制御情報を伝達するために構成された時間および周波数リソースを含む、同じ制御リソースセット（ｃｏｒｅｓｅｔ）内の少なくとも２つの異なる探索空間から探索空間を決定すること
を備える、請求項７に記載の方法。
【請求項１１】
前記ＲＡＣＨがその上で送信された前記アップリンクキャリアに基づいてランダムアクセス無線ネットワーク一時識別子（ＲＡ−ＲＮＴＩ）を決定することと、
前記ＲＡＲを送信するために、前記決定されたＲＡ−ＲＮＴＩを使用することと
をさらに備える、請求項７に記載の方法。
【請求項１２】
前記少なくとも２つの利用可能なアップリンクキャリアが、異なるヌメロロジーを有し、
前記ＲＡ−ＲＮＴＩはまた、前記ＲＡＣＨがその上で送信された前記アップリンクキャリアの前記ヌメロロジーに基づいて決定される、
請求項１１に記載の方法。
【請求項１３】
ユーザ機器（ＵＥ）によるワイヤレス通信のための装置であって、
少なくとも２つの利用可能なアップリンクキャリアから選択されたアップリンクキャリア上でランダムアクセスチャネル（ＲＡＣＨ）を送信するための手段と、
前記ＲＡＣＨがその上で送信された前記アップリンクキャリアに基づいて、ダウンリンクキャリア上で送信されるランダムアクセスチャネル応答（ＲＡＲ）を監視するための探索空間を決定するための手段と、
前記決定された探索空間中で前記ＲＡＲを監視するための手段と
を備える、装置。
【請求項１４】
前記探索空間を決定するための前記手段は、
前記ＲＡＣＨがその上で送信された前記アップリンクキャリアのためのキャリアインデックスに基づいて、制御情報を伝達するために構成された時間および周波数リソースを含む、制御リソースセット（ｃｏｒｅｓｅｔ）を決定するための手段と、
前記決定されたｃｏｒｅｓｅｔ内から前記探索空間を選択するための手段と
を備える、請求項１３に記載の装置。
【請求項１５】
前記探索空間を決定するための前記手段は、
前記ＲＡＣＨがその上で送信された前記アップリンクキャリアのためのキャリアインデックスに基づいて、制御情報を伝達するために構成された時間および周波数リソースを含む、同じ制御リソースセット（ｃｏｒｅｓｅｔ）内の少なくとも２つの異なる探索空間から探索空間を決定するための手段
を備える、請求項１３に記載の装置。
【請求項１６】
前記探索空間を決定するための前記手段は、
前記ＲＡＣＨがその上で送信された前記アップリンクキャリアのためのヌメロロジーに基づいて、制御情報を伝達するために構成された時間および周波数リソースを含む、同じ制御リソースセット（ｃｏｒｅｓｅｔ）内の少なくとも２つの異なる探索空間から探索空間を決定するための手段
を備える、請求項１３に記載の装置。
【請求項１７】
前記ＲＡＣＨがその上で送信された前記アップリンクキャリアに基づいてランダムアクセス無線ネットワーク一時識別子（ＲＡ−ＲＮＴＩ）を決定するための手段と、
前記ＲＡＲを監視するために、前記決定されたＲＡ−ＲＮＴＩを使用するための手段と
をさらに備える、請求項１３に記載の装置。
【請求項１８】
前記少なくとも２つの利用可能なアップリンクキャリアが、異なるヌメロロジーを有し、
前記ＲＡ−ＲＮＴＩはまた、前記ＲＡＣＨがその上で送信された前記アップリンクキャリアの前記ヌメロロジーに基づいて決定される、
請求項１７に記載の装置。
【請求項１９】
ネットワークエンティティによるワイヤレス通信のための装置であって、
少なくとも２つの利用可能なアップリンクキャリアからのアップリンクキャリア上でランダムアクセスチャネル（ＲＡＣＨ）を受信するための手段と、
前記ＲＡＣＨがその上で送信された前記アップリンクキャリアに基づいて、ダウンリンクキャリア上でランダムアクセスチャネル応答（ＲＡＲ）を送信するために使用すべき探索空間を決定するための手段と、
前記決定された探索空間中で前記ＲＡＲを送信するための手段と
を備える、装置。
【請求項２０】
前記探索空間を決定するための前記手段は、
前記ＲＡＣＨがその上で送信された前記アップリンクキャリアのためのキャリアインデックスに基づいて、制御情報を伝達するために構成された時間および周波数リソースを含む、制御リソースセット（ｃｏｒｅｓｅｔ）を決定するための手段と、
前記決定されたｃｏｒｅｓｅｔ内から前記探索空間を選択するための手段と
を備える、請求項１９に記載の装置。
【請求項２１】
前記探索空間を決定するための前記手段は、
前記ＲＡＣＨがその上で送信された前記アップリンクキャリアのためのキャリアインデックスに基づいて、制御情報を伝達するために構成された時間および周波数リソースを含む、同じ制御リソースセット（ｃｏｒｅｓｅｔ）内の少なくとも２つの異なる探索空間から探索空間を決定するための手段
を備える、請求項１９に記載の装置。
【請求項２２】
前記探索空間を決定するための前記手段は、
前記ＲＡＣＨがその上で送信された前記アップリンクキャリアのためのヌメロロジーに基づいて、制御情報を伝達するために構成された時間および周波数リソースを含む、同じ制御リソースセット（ｃｏｒｅｓｅｔ）内の少なくとも２つの異なる探索空間から探索空間を決定するための手段
を備える、請求項１９に記載の装置。
【請求項２３】
前記ＲＡＣＨがその上で送信された前記アップリンクキャリアに基づいてランダムアクセス無線ネットワーク一時識別子（ＲＡ−ＲＮＴＩ）を決定するための手段と、
前記ＲＡＲを送信するために、前記決定されたＲＡ−ＲＮＴＩを使用するための手段と
をさらに備える、請求項１９に記載の装置。
【請求項２４】
前記少なくとも２つの利用可能なアップリンクキャリアが、異なるヌメロロジーを有し、
前記ＲＡ−ＲＮＴＩはまた、前記ＲＡＣＨがその上で送信された前記アップリンクキャリアの前記ヌメロロジーに基づいて決定される、
請求項２３に記載の装置。
【請求項２５】
ユーザ機器（ＵＥ）によるワイヤレス通信のための装置であって、
少なくとも２つの利用可能なアップリンクキャリアから選択されたアップリンクキャリア上でランダムアクセスチャネル（ＲＡＣＨ）を送信するように構成された、送信機と、
前記ＲＡＣＨがその上で送信された前記アップリンクキャリアに基づいて、ダウンリンクキャリア上で送信されるランダムアクセスチャネル応答（ＲＡＲ）を監視するための探索空間を決定するように構成された、少なくとも１つのプロセッサと、
前記決定された探索空間中で前記ＲＡＲを監視するように構成された、受信機と
を備える、装置。
【請求項２６】
ネットワークエンティティによるワイヤレス通信のための装置であって、
少なくとも２つの利用可能なアップリンクキャリアからのアップリンクキャリア上でランダムアクセスチャネル（ＲＡＣＨ）を受信するように構成された、受信機と、
前記ＲＡＣＨがその上で送信された前記アップリンクキャリアに基づいて、ダウンリンクキャリア上でランダムアクセスチャネル応答（ＲＡＲ）を送信するために使用すべき探索空間を決定するように構成された、少なくとも１つのプロセッサと、
前記決定された探索空間中で前記ＲＡＲを送信するように構成された、送信機と
を備える、装置。
【発明の詳細な説明】
【技術分野】
【０００１】
関連出願の相互参照および優先権主張
[0001]本出願は、両方とも本出願の譲受人に譲渡され、参照により本明細書に明確に組み込まれる、２０１７年１０月９日に出願された米国仮特許出願第６２／５７０，０５０号の利益を主張する、２０１８年１０月４日に出願された米国出願第１６／１５１，４０５号の優先権を主張する。
【０００２】
[0002]本開示は、一般にワイヤレス通信システムに関し、より詳細には、ランダムアクセスプロシージャに関する。
【背景技術】
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例は、ロングタームエボリューション（ＬＴＥ（登録商標））システム、ＬＴＥアドバンスト（ＬＴＥ−Ａ）システム、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]いくつかの例では、ワイヤレス多元接続通信システムは、場合によってはユーザ機器（ＵＥ）として知られる、複数の通信デバイスのための通信を各々が同時にサポートする、いくつかの基地局を含み得る。ＬＴＥまたはＬＴＥ−Ａネットワークでは、１つまたは複数の基地局のセットが発展型ノードＢ（ｅＮＢ）を定義し得る。他の例では（たとえば、次世代または５Ｇネットワークでは）、ワイヤレス多元接続通信システムは、いくつかの中央ユニット（ＣＵ）（たとえば、中央ノード（ＣＮ）、アクセスノードコントローラ（ＡＮＣ）など）と通信しているいくつかの分散型ユニット（ＤＵ）（たとえば、エッジユニット（ＥＵ）、エッジノード（ＥＮ）、無線ヘッド（ＲＨ）、スマート無線ヘッド（ＳＲＨ）、送信受信ポイント（ＴＲＰ）など）を含み得、ここで、中央ユニットと通信している１つまたは複数の分散型ユニットのセットは、アクセスノード（たとえば、新無線基地局（ＮＲ  ＢＳ）、新無線ＢＳ（ＮＲ  ＮＢ）、ネットワークノード、５Ｇ  ＮＢ、ｅＮＢ、次世代ＮＢ（ｇＮＢ）など）を定義し得る。ＢＳまたはＤＵは、（たとえば、ＢＳからまたはＵＥへの送信のために）ダウンリンクチャネル上で、および（たとえば、ＵＥからＢＳまたはＤＵへの送信のために）アップリンクチャネル上でＵＥのセットと通信し得る。
【０００５】
[0005]これらの多元接続技術は、異なるワイヤレスデバイスが都市、国家、地域、さらには地球規模で通信することを可能にする共通プロトコルを与えるために様々な電気通信規格において採用されている。新生の電気通信規格の例は、新無線（ＮＲ）、たとえば、５Ｇ無線アクセスである。ＮＲは、第３世代パートナーシッププロジェクト（３ＧＰＰ（登録商標））によって公表されたＬＴＥモバイル規格の向上のセットである。ＮＲは、スペクトル効率を改善することと、コストを下げることと、サービスを改善することと、新しいスペクトルを利用することと、ダウンリンク（ＤＬ）上でおよびアップリンク（ＵＬ）上でサイクリックプレフィックス（ＣＰ）を用いたＯＦＤＭＡを使用して他のオープン規格とより良く統合することとによってモバイルブロードバンドインターネットアクセスをより良くサポートし、ならびにビームフォーミング、多入力多出力（ＭＩＭＯ）アンテナ技術、およびキャリアアグリゲーションをサポートするように設計されている。
【０００６】
[0006]しかしながら、モバイルブロードバンドアクセスに対する需要が増加し続けるにつれて、ＮＲ技術のさらなる改善が必要である。好ましくは、これらの改善は、他の多元接続技術と、これらの技術を採用する電気通信規格とに適用可能であるべきである。
【発明の概要】
【０００７】
[0007]本開示のシステム、方法、およびデバイスは、各々いくつかの態様を有し、それらの態様のうちの単一の態様が単独で本開示の望ましい属性を担うとは限らない。次に、以下の特許請求の範囲によって表される本開示の範囲を限定することなしに、いくつかの特徴が手短に説明される。この説明を考察すれば、特に「発明を実施するための形態」と題するセクションを読めば、本開示の特徴が、ワイヤレスネットワークにおけるアクセスポイントと局との間の改善された通信を含む利点をどのように提供するかが理解されよう。
【０００８】
[0008]いくつかの態様は、ユーザ機器（ＵＥ）によるワイヤレス通信のための方法を提供する。本方法は、概して、少なくとも２つの利用可能なアップリンクキャリアから選択されたアップリンクキャリア上でランダムアクセスチャネル（ＲＡＣＨ）を送信することと、ＲＡＣＨがその上で送信されたアップリンクキャリアに基づいて、ダウンリンクキャリア上で送信されるランダムアクセスチャネル応答（ＲＡＲ）を監視するための探索空間を決定することと、決定された探索空間中でＲＡＲを監視することとを含む。
【０００９】
[0009]いくつかの態様は、基地局（ＢＳ）によるワイヤレス通信のための方法を提供する。本方法は、概して、少なくとも２つの利用可能なアップリンクキャリアからのアップリンクキャリア上でランダムアクセスチャネル（ＲＡＣＨ）を受信することと、ＲＡＣＨがその上で送信されたアップリンクキャリアに基づいて、ダウンリンクキャリア上でランダムアクセスチャネル応答（ＲＡＲ）を送信するために使用すべき探索空間を決定することと、決定された探索空間中でＲＡＲを送信することとを含む。
【００１０】
[0010]態様は、概して、添付の図面を参照しながら本明細書で実質的に説明され、添付の図面によって示されるように、方法、装置、システム、コンピュータ可読媒体、および処理システムを含む。
【００１１】
[0011]上記および関係する目的を達成するために、１つまたは複数の態様は、以下で十分に説明され、特に特許請求の範囲で指摘される特徴を備える。以下の説明および添付の図面は、１つまたは複数の態様のいくつかの例示的な特徴を詳細に示している。ただし、これらの特徴は、様々な態様の原理が採用され得る様々な方法のほんのいくつかを示すものであり、この説明は、すべてのそのような態様およびそれらの等価物を含むものとする。
【００１２】
[0012]本開示の上記で具陳された特徴が詳細に理解され得るように、添付の図面にその一部が示される態様を参照することによって、上記で手短に要約されたより具体的な説明が得られ得る。ただし、その説明は他の等しく有効な態様に通じ得るので、添付の図面は、本開示のいくつかの典型的な態様のみを示し、したがって、本開示の範囲を限定するものと見なされるべきではないことに留意されたい。
【図面の簡単な説明】
【００１３】
【図１】[0013]本開示のいくつかの態様による、例示的な電気通信システムを概念的に示すブロック図。
【図２】[0014]本開示のいくつかの態様による、分散型無線アクセスネットワーク（ＲＡＮ）の例示的な論理アーキテクチャを示すブロック図。
【図３】[0015]本開示のいくつかの態様による、分散型ＲＡＮの例示的な物理アーキテクチャを示す図。
【図４】[0016]本開示のいくつかの態様による、例示的な基地局（ＢＳ）およびユーザ機器（ＵＥ）の設計を概念的に示すブロック図。
【図５】[0017]本開示のいくつかの態様による、通信プロトコルスタックを実装するための例を示す図。
【図６】[0018]本開示のいくつかの態様による、ダウンリンクセントリックサブフレームの一例を示す図。
【図７】[0019]本開示のいくつかの態様による、アップリンクセントリックサブフレームの一例を示す図。
【図８】[0020]本開示の態様が実施され得る補助アップリンク（ＳＵＬ：supplemental uplink）コンポーネントキャリアを用いた例示的なシナリオを示す図。
【図９】[0021]本開示のいくつかの態様による、ユーザ機器（ＵＥ）によって実施されるワイヤレス通信のための例示的な動作を示す図。
【図１０】[0022]本開示のいくつかの態様による、基地局によって実施されるワイヤレス通信のための例示的な動作を示す図。
【図１１】[0023]本開示のいくつかの態様による、図９による動作をＵＥが実施する例示的なコールフロー図。
【図１２】本開示のいくつかの態様による、図１０による動作を基地局が実施する例示的なコールフロー図。
【発明を実施するための形態】
【００１４】
[0024]理解を容易にするために、可能な場合、各図に共通である同じ要素を指定するために同じ参照番号が使用されている。一態様において開示される要素が、特定の具陳なしに他の態様に対して有益に利用され得ることが企図される。
【００１５】
[0025]本開示の態様は、新無線（ＮＲ）（新無線アクセス技術または５Ｇ技術）のための装置、方法、処理システム、およびコンピュータ可読媒体を提供する。
【００１６】
[0026]ＮＲは、（たとえば、８０ＭＨｚを超える）広帯域幅をターゲットにする拡張型モバイルブロードバンド（ｅＭＢＢ）、高いキャリア周波数（たとえば、６０ＧＨｚ）をターゲットにするミリメートル波（ｍｍＷ）、非後方互換性ＭＴＣ技法をターゲットにするマッシブＭＴＣ（ｍＭＴＣ）、および／または超信頼型低レイテンシ通信（ＵＲＬＬＣ：ultra reliable low latency communications）をターゲットにするミッションクリティカルななど、様々なワイヤレス通信サービスをサポートし得る。これらのサービスは、レイテンシおよび信頼性要件を含み得る。これらのサービスは、それぞれのサービス品質（ＱｏＳ）要件を満たすために、異なる送信時間間隔（ＴＴＩ）をも有し得る。さらに、これらのサービスは、同じサブフレームにおいて共存し得る。
【００１７】
[0027]態様は、ＮＲ技術に従って動作する通信システムにおいて重複する制御リソースセット（ｃｏｒｅｓｅｔ）をサポートするための制御チャネル要素（ＣＣＥ）へのリソース要素グループ（ＲＥＧ）のマッピングのためのＲＥＧバンドルインターリーバ設計のための技法および装置を提供する。態様は、効率的な重複するｃｏｒｅｓｅｔのための２ステップインターリーバ設計を提供する。第１のステップは、同じＣＣＥからのＲＥＧバンドルが、異なるインターリーブされたブロック中にあるように、ＲＥＧバンドルのセグメント中のＲＥＧバンドルを、ＲＥＧバンドルの生成されたインターリーブされたブロック（たとえば、グループ）に置換することを含む。したがって、インターリービングの第２のステップにおいて、インターリーブされたブロックはｃｏｒｅｓｅｔ全体にわたってインターリーブされ、異なるブロック中の同じＣＣＥのＲＥＧバンドルは、結局、遠く離れることになり、それにより、周波数ダイバーシティを改善することができる。
【００１８】
[0028]以下の説明は、例を与えるものであり、特許請求の範囲に記載される範囲、適用性、または例を限定するものではない。本開示の範囲から逸脱することなく、説明された要素の機能および構成において変更が行われ得る。様々な例は、適宜に様々なプロシージャまたは構成要素を省略、置換、または追加し得る。たとえば、説明される方法は、説明される順序とは異なる順序で実施され得、様々なステップが追加、省略、または組み合わされ得る。また、いくつかの例に関して説明される特徴は、いくつかの他の例において組み合わされ得る。たとえば、本明細書に記載される態様を任意にいくつ使用しても、装置は実装され得、または方法は実施され得る。さらに、本開示の範囲は、本明細書に記載される本開示の様々な態様に加えてまたはそれらの態様以外に、他の構造、機能性、または構造および機能性を使用して実施されるそのような装置または方法をカバーするものとする。本明細書で開示される本開示のいずれの態様も、請求項の１つまたは複数の要素によって実施され得ることを理解されたい。「例示的」という単語は、「例、事例、または例示の働きをすること」を意味するために本明細書で使用される。「例示的」として本明細書で説明されるいかなる態様も、必ずしも他の態様よりも好適または有利なものと解釈されるべきではない。
【００１９】
[0029]本明細書で説明される技法は、ＬＴＥ、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語はしばしば互換的に使用される。ＣＤＭＡネットワークは、ユニバーサル地上波無線アクセス（ＵＴＲＡ）、ｃｄｍａ２０００などの無線技術を実装し得る。ＵＴＲＡは、広帯域ＣＤＭＡ（ＷＣＤＭＡ（登録商標））およびＣＤＭＡの他の変形態を含む。ｃｄｍａ２０００は、ＩＳ−２０００、ＩＳ−９５、およびＩＳ−８５６規格をカバーする。ＴＤＭＡネットワークは、モバイル通信用グローバルシステム（ＧＳＭ（登録商標））などの無線技術を実装し得る。ＯＦＤＭＡネットワークは、ＮＲ（たとえば、５Ｇ  ＲＡ）、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡおよびＥ−ＵＴＲＡは、ユニバーサルモバイルテレコミュニケーションシステム（ＵＭＴＳ）の一部である。ＮＲは、５Ｇ技術フォーラム（５ＧＴＦ）とともに開発中の新生のワイヤレス通信技術である。３ＧＰＰロングタームエボリューション（ＬＴＥ）およびＬＴＥアドバンスト（ＬＴＥ−Ａ）は、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体からの文書に記載されている。ｃｄｍａ２０００およびＵＭＢは、「第３世代パートナーシッププロジェクト２」（３ＧＰＰ２）と称する団体からの文書に記載されている。本明細書で説明される技法は、上記のワイヤレスネットワークおよび無線技術、ならびに他のワイヤレスネットワークおよび無線技術に使用され得る。明快のために、本明細書では、３Ｇおよび／または４Ｇのワイヤレス技術に一般に関連する用語を使用して態様が説明され得るが、本開示の態様は、ＮＲ技術を含む、５Ｇ以降など、他の世代ベースの通信システムにおいて適用され得る。
【００２０】
例示的なワイヤレス通信システム
[0030]図１は、本開示の態様が実施され得る、新無線（ＮＲ）ネットワークまたは５Ｇネットワークなど、例示的なワイヤレスネットワーク１００を示す。
【００２１】
[0031]図１に示されているように、ワイヤレスネットワーク１００は、いくつかの基地局（ＢＳ）１１０と他のネットワークエンティティとを含み得る。ＢＳはＵＥと通信する局であり得る。各ＢＳ１１０は、特定の地理的エリアに通信カバレージを提供し得る。３ＧＰＰでは、「セル」という用語は、この用語が使用されるコンテキストに応じて、ノードＢのカバレージエリアおよび／またはこのカバレージエリアをサービスするＮＢサブシステムを指すことがある。ＮＲシステムでは、「セル」、発展型ＮＢ（ｅＮＢ）、ＮＢ、５Ｇ  ＮＢ、次世代ＮＢ（ｇＮＢ）、アクセスポイント（ＡＰ）、ＢＳ、ＮＲ  ＢＳ、５Ｇ  ＢＳ、または送信受信ポイント（ＴＲＰ）という用語は互換性があり得る。いくつかの例では、セルは必ずしも固定であるとは限らないことがあり、セルの地理的エリアはモバイルＢＳのロケーションに従って移動し得る。いくつかの例では、ＢＳは、任意の好適なトランスポートネットワークを使用して、直接物理接続、仮想ネットワークなど、様々なタイプのバックホールインターフェースを通して互いに、および／またはワイヤレスネットワーク１００における１つまたは複数の他のＢＳまたはネットワークノード（図示せず）に相互接続され得る。
【００２２】
[0032]概して、任意の数のワイヤレスネットワークが所与の地理的エリア中に展開され得る。各ワイヤレスネットワークは、特定の無線アクセス技術（ＲＡＴ）をサポートし得、１つまたは複数の周波数上で動作し得る。ＲＡＴは、無線技術、エアインターフェースなどと呼ばれることもある。周波数は、キャリア、周波数チャネルなどと呼ばれることもある。各周波数は、異なるＲＡＴのワイヤレスネットワーク間での干渉を回避するために、所与の地理的エリア中の単一のＲＡＴをサポートし得る。いくつかの場合には、ＮＲまたは５Ｇ  ＲＡＴネットワークが展開され得る。
【００２３】
[0033]ＢＳは、マクロセル、ピコセル、フェムトセル、および／または他のタイプのセルに通信カバレージを提供し得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連付けを有するＵＥ（たとえば、限定加入者グループ（ＣＳＧ）中のＵＥ、自宅内のユーザのためのＵＥなど）による制限付きアクセスを可能にし得る。マクロセルのためのＢＳはマクロＢＳと呼ばれることがある。ピコセルのためのＢＳはピコＢＳと呼ばれることがある。フェムトセルのためのＢＳは、フェムトＢＳまたはホームＢＳと呼ばれることがある。図１に示されている例では、ＢＳ１１０ａ、１１０ｂおよび１１０ｃは、それぞれマクロセル１０２ａ、１０２ｂおよび１０２ｃのためのマクロＢＳであり得る。ＢＳ１１０ｘは、ピコセル１０２ｘのためのピコＢＳであり得る。ＢＳ１１０ｙおよび１１０ｚは、それぞれフェムトセル１０２ｙおよび１０２ｚのためのフェムトＢＳであり得る。ＢＳは、１つまたは複数の（たとえば、３つの）セルをサポートし得る。
【００２４】
[0034]ワイヤレスネットワーク１００はまた、中継局を含み得る。中継局は、上流局（たとえば、ＢＳまたはＵＥ）からデータおよび／または他の情報の送信を受信し、そのデータおよび／または他の情報の送信を下流局（たとえば、ＵＥまたはＢＳ）に送る局である。中継局はまた、他のＵＥに対する送信を中継するＵＥであり得る。図１に示されている例では、中継局１１０ｒは、ＢＳ１１０ａとＵＥ１２０ｒとの間の通信を可能にするために、ＢＳ１１０ａおよびＵＥ１２０ｒと通信し得る。中継局は、リレーＢＳ、リレーなどと呼ばれることもある。
【００２５】
[0035]ワイヤレスネットワーク１００は、異なるタイプのＢＳ、たとえば、マクロＢＳ、ピコＢＳ、フェムトＢＳ、リレーなどを含む異種ネットワークであり得る。これらの様々なタイプのＢＳは、様々な送信電力レベル、様々なカバレージエリア、およびワイヤレスネットワーク１００における干渉に対する様々な影響を有し得る。たとえば、マクロＢＳは、高い送信電力レベル（たとえば、２０ワット）を有し得るが、ピコＢＳ、フェムトＢＳ、およびリレーは、より低い送信電力レベル（たとえば、１ワット）を有し得る。
【００２６】
[0036]ワイヤレスネットワーク１００は、同期動作または非同期動作をサポートし得る。同期動作の場合、ＢＳは同様のフレームタイミングを有し得、異なるＢＳからの送信は近似的に時間的に整合され得る。非同期動作の場合、ＢＳは異なるフレームタイミングを有し得、異なるＢＳからの送信は時間的に整合されないことがある。本明細書で説明される技法は、同期動作と非同期動作の両方のために使用され得る。
【００２７】
[0037]ネットワークコントローラ１３０は、ＢＳのセットに結合され、これらのＢＳのための協調および制御を行い得る。ネットワークコントローラ１３０は、バックホールを介してＢＳ１１０と通信し得る。ＢＳ１１０はまた、たとえば、ワイヤレスバックホールまたはワイヤラインバックホールを介して直接または間接的に互いに通信し得る。
【００２８】
[0038]ＵＥ１２０（たとえば、１２０ｘ、１２０ｙなど）はワイヤレスネットワーク１００全体にわたって分散され得、各ＵＥは固定または移動であり得る。ＵＥは、移動局、端末、アクセス端末、加入者ユニット、局、顧客構内機器（ＣＰＥ）、セルラーフォン、スマートフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、カメラ、ゲームデバイス、ネットブック、スマートブック、ウルトラブック、医療デバイスもしくは医療機器、生体センサー／デバイス、スマートウォッチ、スマートクロージング、スマートグラス、スマートリストバンド、スマートジュエリー（たとえば、スマートリング、スマートブレスレットなど）などのウェアラブルデバイス、エンターテインメントデバイス（たとえば、音楽デバイス、ビデオデバイス、衛星ラジオなど）、車両コンポーネントもしくはセンサー、スマートメーター／センサー、産業用製造装置、全地球測位システムデバイス、またはワイヤレスもしくはワイヤード媒体を介して通信するように構成された任意の他の好適なデバイスと呼ばれることもある。いくつかのＵＥは、発展型もしくはマシンタイプ通信（ＭＴＣ）デバイスまたは発展型ＭＴＣ（ｅＭＴＣ）デバイスと見なされ得る。ＭＴＣ  ＵＥおよびｅＭＴＣ  ＵＥは、たとえば、ＢＳ、別のデバイス（たとえば、リモートデバイス）、または何らかの他のエンティティと通信し得る、ロボット、ドローン、リモートデバイス、センサー、メーター、モニタ、ロケーションタグなどを含む。ワイヤレスノードは、たとえば、ワイヤードまたはワイヤレス通信リンクを介した、ネットワーク（たとえば、インターネットまたはセルラーネットワークなど、ワイドエリアネットワーク）のための、またはネットワークへの接続性を与え得る。いくつかのＵＥは、モノのインターネット（ＩｏＴ）デバイスまたは狭帯域ＩｏＴ（ＮＢ−ＩｏＴ）デバイスと見なされ得る。
【００２９】
[0039]図１では、両矢印付きの実線は、ダウンリンクおよび／またはアップリンク上での、ＵＥと、そのＵＥをサービスするように指定されたＢＳであるサービングＢＳとの間の所望の送信を示す。両矢印付きの破線は、ＵＥとＢＳとの間の干渉送信を示す。
【００３０】
[0040]いくつかのワイヤレスネットワーク（たとえば、ＬＴＥ）は、ダウンリンク上で直交周波数分割多重（ＯＦＤＭ）を利用し、アップリンク上でシングルキャリア周波数分割多重（ＳＣ−ＦＤＭ）を利用する。ＯＦＤＭおよびＳＣ−ＦＤＭは、システム帯域幅を、一般にトーン、ビン、サブバンドなどとも呼ばれる複数（Ｋ）個の直交サブキャリアに区分する。各サブキャリアはデータで変調され得る。概して、変調シンボルは、ＯＦＤＭでは周波数領域で、ＳＣ−ＦＤＭでは時間領域で送られる。隣接するサブキャリア間の間隔は固定であり得、サブキャリアの総数（Ｋ）はシステム帯域幅に依存し得る。たとえば、サブキャリアの間隔は１５ｋＨｚであり得、（リソースブロック（ＲＢ）と呼ばれる）最小リソース割振りは１２個のサブキャリア（または１８０ｋＨｚ）であり得る。したがって、公称ＦＦＴサイズは、１．２５、２．５、５、１０または２０メガヘルツ（ＭＨｚ）のシステム帯域幅に対してそれぞれ１２８、２５６、５１２、１０２４または２０４８に等しくなり得る。システム帯域幅はまた、サブバンドに区分され得る。たとえば、サブバンドは１．０８ＭＨｚ（すなわち、６つのＲＢ）をカバーし得、１．２５、２．５、５、１０または２０ＭＨｚのシステム帯域幅に対してそれぞれ１、２、４、８または１６個のサブバンドがあり得る。
【００３１】
[0041]本明細書で説明される例の態様は、ＬＴＥ技術に関連し得るが、本開示の態様は、ＮＲなど、他のワイヤレス通信システムを用いて適用可能であり得る。ＮＲは、アップリンクおよびダウンリンク上でＣＰを用いたＯＦＤＭを利用し、時分割複信（ＴＤＤ）を使用する半二重動作のサポートを含み得る。１００ＭＨｚの単一のコンポーネントキャリア帯域幅がサポートされ得る。ＮＲリソースブロックは、０．１ｍｓ持続時間にわたる７５ｋＨｚのサブキャリア帯域幅をもつ１２個のサブキャリアにわたり得る。各無線フレームは、１０ｍｓの長さをもつ５０個のサブフレームからなり得る。したがって、各サブフレームは、０．２ｍｓの長さを有し得る。各サブフレームは、データ送信のためのリンク方向（すなわち、ＤＬまたはＵＬ）を示し得、各サブフレームについてのリンク方向は、動的に切り替えられ得る。各サブフレームは、ＤＬ／ＵＬデータならびにＤＬ／ＵＬ制御データを含み得る。ＮＲのためのＵＬおよびＤＬサブフレームは、図６および図７に関して以下でより詳細に説明される通りであり得る。ビームフォーミングがサポートされ得、ビーム方向は動的に構成され得る。プリコーディングを用いたＭＩＭＯ送信もサポートされ得る。ＤＬにおけるＭＩＭＯ構成は、最高８つのストリームおよびＵＥごとに最高２つのストリームのマルチレイヤＤＬ送信を用いて、最高８つの送信アンテナをサポートし得る。ＵＥごとに最高２つのストリームを用いるマルチレイヤ送信がサポートされ得る。複数のセルのアグリゲーションが、最高８つのサービングセルを用いてサポートされ得る。代替的に、ＮＲは、ＯＦＤＭベース以外の、異なるエアインターフェースをサポートし得る。ＮＲネットワークは、エンティティそのようなＣＵおよび／またはＤＵを含み得る。
【００３２】
[0042]いくつかの例では、エアインターフェースへのアクセスがスケジュールされ得、ここにおいて、スケジューリングエンティティ（たとえば、ＢＳ）は、それのサービスエリアまたはセル内の一部または全部のデバイスおよび機器の間の通信にリソースを割り振る。本開示内では、以下でさらに説明されるように、スケジューリングエンティティは、１つまたは複数の下位エンティティのためのリソースをスケジュールし、割り当て、再構成し、解放することを担当し得る。すなわち、スケジュールされた通信について、下位エンティティは、スケジューリングエンティティによって割り振られたリソースを利用する。ＢＳは、スケジューリングエンティティとして機能し得る唯一のエンティティではない。すなわち、いくつかの例では、ＵＥは、１つまたは複数の下位エンティティ（たとえば、１つまたは複数の他のＵＥ）のためのスケジューリングエンティティ、スケジューリングリソースとして機能し得る。この例では、ＵＥは、スケジューリングエンティティとして機能しており、他のＵＥは、ワイヤレス通信のためにＵＥによってスケジュールされたリソースを利用する。ＵＥは、ピアツーピア（Ｐ２Ｐ）ネットワークにおいて、および／またはメッシュネットワークにおいてスケジューリングエンティティとして機能し得る。メッシュネットワーク例では、ＵＥは、スケジューリングエンティティと通信することに加えて、随意に、互いと直接通信し得る。
【００３３】
[0043]したがって、時間周波数リソースへのスケジュールされたアクセスを用いた、セルラー構成、Ｐ２Ｐ構成、およびメッシュ構成を有するワイヤレス通信ネットワークでは、スケジューリングエンティティおよび１つまたは複数の下位エンティティは、スケジュールされたリソースを利用して通信し得る。
【００３４】
[0044]図２は、図１に示されているワイヤレス通信システムにおいて実装され得る、分散型無線アクセスネットワーク（ＲＡＮ）２００の例示的な論理アーキテクチャを示す。５Ｇアクセスノード２０６は、アクセスノードコントローラ（ＡＮＣ）２０２を含み得る。ＡＮＣ２０２は、分散型ＲＡＮ２００の中央ユニット（ＣＵ）であり得る。次世代コアネットワーク（ＮＧ−ＣＮ）２０４へのバックホールインターフェースは、ＡＮＣ２０２において終端し得る。ネイバリング次世代アクセスノード（ＮＧ−ＡＮ）２１０へのバックホールインターフェースは、ＡＮＣ２０２において終端し得る。ＡＮＣ２０２は、１つまたは複数のＴＲＰ２０８を含み得る。上記で説明されたように、ＴＲＰは、「セル」と互換的に使用され得る。
【００３５】
[0045]ＴＲＰ２０８はＤＵであり得る。ＴＲＰは、１つのＡＮＣ（ＡＮＣ２０２）または（示されていない）２つ以上のＡＮＣに接続され得る。たとえば、ＲＡＮ共有、サービスとしての無線（ＲａａＳ：radio as a service）、およびサービス固有ＡＮＣ配置の場合、ＴＲＰは２つ以上のＡＮＣに接続され得る。ＴＲＰ２０８は１つまたは複数のアンテナポートを含み得る。ＴＲＰは、ＵＥにトラフィックを、個々にサービスする（たとえば、動的選択）か、または一緒にサービスする（たとえば、ジョイント送信）ように構成され得る。
【００３６】
[0046]論理アーキテクチャが、異なる展開タイプにわたってフロントホーリングソリューションをサポートし得る。たとえば、論理アーキテクチャは、送信ネットワーク能力（たとえば、帯域幅、レイテンシ、および／またはジッタ）に基づき得る。論理アーキテクチャは、ＬＴＥと特徴および／または構成要素を共有し得る。ＮＧ−ＡＮ２１０は、ＮＲとのデュアル接続性をサポートし得る。ＮＧ−ＡＮ２１０は、ＬＴＥおよびＮＲについて共通フロントホールを共有し得る。論理アーキテクチャは、ＴＲＰ２０８間の協働を可能にし得る。たとえば、協働は、ＡＮＣ２０２を介してＴＲＰ内でおよび／またはＴＲＰにわたってプリセットされ得る。ＴＲＰ間インターフェースが存在しないことがある。
【００３７】
[0047]論理アーキテクチャは、分割された論理機能の動的構成を有し得る。図５を参照しながらより詳細に説明されるように、無線リソース制御（ＲＲＣ）レイヤ、パケットデータコンバージェンスプロトコル（ＰＤＣＰ）レイヤ、無線リンク制御（ＲＬＣ）レイヤ、媒体アクセス制御（ＭＡＣ）レイヤ、および物理（ＰＨＹ）レイヤが、ＤＵまたはＣＵ（たとえば、それぞれＴＲＰまたはＡＮＣ）に適応的に配置され得る。ＢＳは、中央ユニット（ＣＵ）（たとえば、ＡＮＣ２０２）および／または１つまたは複数の分散型ユニット（たとえば、１つまたは複数のＴＲＰ２０８）を含み得る。
【００３８】
[0048]図３は、本開示の態様による、分散型ＲＡＮ３００の例示的な物理アーキテクチャを示す。集中型コアネットワークユニット（Ｃ−ＣＵ）３０２は、コアネットワーク機能をホストし得る。Ｃ−ＣＵ３０２は中央に展開され得る。Ｃ−ＣＵ機能性は、ピーク容量を扱おうとして、（たとえば、高度ワイヤレスサービス（ＡＷＳ）に）オフロードされ得る。集中型ＲＡＮユニット（Ｃ−ＲＵ）３０４は、１つまたは複数のＡＮＣ機能をホストし得る。Ｃ−ＲＵ３０４は、ローカルにコアネットワーク機能をホストし得る。Ｃ−ＲＵ３０４は分散型展開を有し得る。Ｃ−ＲＵ３０４はネットワークエッジに近いことがある。ＤＵ３０６は、１つまたは複数のＴＲＰをホストし得る。ＤＵ３０６は、無線周波数（ＲＦ）機能性をもつネットワークのエッジに位置し得る。
【００３９】
[0049]図４は、本開示の態様を実装するために使用され得る、図１に示されているＢＳ１１０およびＵＥ１２０の例示的な構成要素を示す。上記で説明されたように、ＢＳは送信受信ポイント（ＴＲＰ）を含み得る。ＢＳ１１０およびＵＥ１２０の１つまたは複数の構成要素は、本開示の態様を実施するために使用され得る。たとえば、ＵＥ１２０のアンテナ４５２、Ｔｘ／Ｒｘ２２２、プロセッサ４６６、４５８、４６４、および／もしくはコントローラ／プロセッサ４８０ならびに／またはＢＳ１１０のアンテナ４３４、プロセッサ４６０、４２０、４３８、および／もしくはコントローラ／プロセッサ４４０が、本明細書で説明され、図１０、図１１、図１４、および図１５を参照しながら示される動作を実施するために使用され得る。
【００４０】
[0050]図４は、図１中のＢＳのうちの１つであり得るＢＳ１１０、および図１中のＵＥのうちの１つであり得るＵＥ１２０の設計のブロック図を示す。制限付き関連付けシナリオの場合、ＢＳ１１０は図１中のマクロＢＳ１１０ｃであり得、ＵＥ１２０はＵＥ１２０ｙであり得る。ＢＳ１１０はまた、何らかの他のタイプのＢＳであり得る。ＢＳ１１０はアンテナ４３４ａ〜４３４ｔを装備し得、ＵＥ１２０はアンテナ４５２ａ〜４５２ｒを装備し得る。
【００４１】
[0051]ＢＳ１１０において、送信プロセッサ４２０は、データソース４１２からデータを受信し、コントローラ／プロセッサ４４０から制御情報を受信し得る。制御情報は、物理ブロードキャストチャネル（ＰＢＣＨ）、物理制御フォーマットインジケータチャネル（ＰＣＦＩＣＨ）、物理ハイブリッドＡＲＱインジケータチャネル（ＰＨＩＣＨ）、物理ダウンリンク制御チャネル（ＰＤＣＣＨ）などのためのものであり得る。データは物理ダウンリンク共有チャネル（ＰＤＳＣＨ）などのためのものであり得る。プロセッサ４２０は、データシンボルおよび制御シンボルを取得するために、それぞれデータおよび制御情報を処理（たとえば、符号化およびシンボルマッピング）し得る。プロセッサ４２０はまた、たとえば、ＰＳＳ、ＳＳＳ、およびセル固有基準信号のための基準シンボルを生成し得る。送信（ＴＸ）多入力多出力（ＭＩＭＯ）プロセッサ４３０が、適用可能な場合、データシンボル、制御シンボル、および／または基準シンボルに対して空間処理（たとえば、プリコーディング）を実施し得、出力シンボルストリームを変調器（ＭＯＤ）４３２ａ〜４３２ｔに与え得る。たとえば、ＴＸ  ＭＩＭＯプロセッサ４３０は、ＲＳ多重化のために、本明細書で説明されるいくつかの態様を実施し得る。各変調器４３２は、出力サンプルストリームを取得するために、（たとえば、ＯＦＤＭなどのための）それぞれの出力シンボルストリームを処理し得る。各変調器４３２は、さらに、ダウンリンク信号を取得するために、出力サンプルストリームを処理（たとえば、アナログへの変換、増幅、フィルタ処理、およびアップコンバート）し得る。変調器４３２ａ〜４３２ｔからのダウンリンク信号は、それぞれアンテナ４３４ａ〜４３４ｔを介して送信され得る。
【００４２】
[0052]ＵＥ１２０において、アンテナ４５２ａ〜４５２ｒは、基地局１１０からダウンリンク信号を受信し得、受信信号をそれぞれ復調器（ＤＥＭＯＤ）４５４ａ〜４５４ｒに与え得る。各復調器４５４は、入力サンプルを取得するために、それぞれの受信信号を調整（たとえば、フィルタ処理、増幅、ダウンコンバート、およびデジタル化）し得る。各復調器４５４は、さらに、受信シンボルを取得するために、（たとえば、ＯＦＤＭなどのための）入力サンプルを処理し得る。ＭＩＭＯ検出器４５６は、すべての復調器４５４ａ〜４５４ｒから受信シンボルを取得し、適用可能な場合は受信シンボルに対してＭＩＭＯ検出を実施し、検出されたシンボルを与え得る。たとえば、ＭＩＭＯ検出器４５６は、本明細書で説明される技法を使用して送信された検出されたＲＳを与え得る。受信プロセッサ４５８は、検出されたシンボルを処理（たとえば、復調、デインターリーブ、および復号）し、ＵＥ１２０の復号されたデータをデータシンク４６０に与え、復号された制御情報をコントローラ／プロセッサ４８０に与え得る。
【００４３】
[0053]アップリンク上では、ＵＥ１２０において、送信プロセッサ４６４が、データソース４６２から（たとえば、物理アップリンク共有チャネル（ＰＵＳＣＨ）のための）データを受信し、処理し得、コントローラ／プロセッサ４８０から（たとえば、物理アップリンク制御チャネル（ＰＵＣＣＨ）のための）制御情報を受信し、処理し得る。送信プロセッサ４６４はまた、基準信号のための基準シンボルを生成し得る。送信プロセッサ４６４からのシンボルは、適用可能な場合はＴＸ  ＭＩＭＯプロセッサ４６６によってプリコーディングされ、さらに（たとえば、ＳＣ−ＦＤＭなどのために）復調器４５４ａ〜４５４ｒによって処理され、ＢＳ１１０に送信され得る。ＢＳ１１０において、ＵＥ１２０からのアップリンク信号は、アンテナ４３４によって受信され、変調器４３２によって処理され、適用可能な場合はＭＩＭＯ検出器４３６によって検出され、ＵＥ１２０によって送られた復号されたデータおよび制御情報を取得するために、受信プロセッサ４３８によってさらに処理され得る。受信プロセッサ４３８は、復号されたデータをデータシンク４３９に与え、復号された制御情報をコントローラ／プロセッサ４４０に与え得る。
【００４４】
[0054]コントローラ／プロセッサ４４０および４８０は、それぞれ基地局１１０およびＵＥ１２０における動作を指示し得る。基地局１１０におけるプロセッサ４４０ならびに／または他のプロセッサおよびモジュールは、たとえば、図１０、図１１、図１３、および図１４に示されている機能ブロック、および／または本明細書で説明される技法のための他のプロセスの実行を実施または指示し得る。ＵＥ１２０におけるプロセッサ４８０ならびに／または他のプロセッサおよびモジュールはまた、本明細書で説明される技法のためのプロセスを実施または指示し得る。メモリ４４２および４８２は、それぞれＢＳ１１０およびＵＥ１２０のためのデータおよびプログラムコードを記憶し得る。スケジューラ４４４は、ダウンリンクおよび／またはアップリンク上でのデータ送信のためにＵＥをスケジュールし得る。
【００４５】
[0055]図５は、本開示の態様による、通信プロトコルスタックを実装するための例を示す図５００を示す。示されている通信プロトコルスタックは、５Ｇシステム（たとえば、アップリンクベースのモビリティをサポートするシステム）において動作するデバイスによって実装され得る。図５００は、無線リソース制御（ＲＲＣ）レイヤ５１０、パケットデータコンバージェンスプロトコル（ＰＤＣＰ）レイヤ５１５、無線リンク制御（ＲＬＣ）レイヤ５２０、媒体アクセス制御（ＭＡＣ）レイヤ５２５、および物理（ＰＨＹ）レイヤ５３０を含む通信プロトコルスタックを示す。様々な例では、プロトコルスタックのレイヤは、ソフトウェアの別個のモジュール、プロセッサもしくはＡＳＩＣの部分、通信リンクによって接続されたコロケートされていないデバイスの部分、またはそれらの様々な組合せとして実装され得る。コロケートされた実装形態およびコロケートされていない実装形態は、たとえば、ネットワークアクセスデバイス（たとえば、ＡＮ、ＣＵ、および／またはＤＵ）またはＵＥのためのプロトコルスタックにおいて使用され得る。
【００４６】
[0056]第１のオプション５０５−ａは、プロトコルスタックの実装が、集中型ネットワークアクセスデバイス（たとえば、図２中のＡＮＣ２０２）と分散型ネットワークアクセスデバイス（たとえば、図２中のＤＵ２０８）との間で分割された、プロトコルスタックの分割された実装形態を示す。第１のオプション５０５−ａでは、ＲＲＣレイヤ５１０およびＰＤＣＰレイヤ５１５は、中央ユニットによって実装され得、ＲＬＣレイヤ５２０、ＭＡＣレイヤ５２５、およびＰＨＹレイヤ５３０は、ＤＵによって実装され得る。様々な例では、ＣＵおよびＤＵは、コロケートされることもコロケートされないこともある。第１のオプション５０５−ａは、マクロセル、マイクロセル、またはピコセル展開において有用であり得る。
【００４７】
[0057]第２のオプション５０５−ｂは、プロトコルスタックが、単一のネットワークアクセスデバイス（たとえば、アクセスノード（ＡＮ）、新無線基地局（ＮＲ  ＢＳ）、新無線ノードＢ（ＮＲ  ＮＢ）、ネットワークノード（ＮＮ）など）において実装された、プロトコルスタックの統合された実装形態を示す。第２のオプションでは、ＲＲＣレイヤ５１０、ＰＤＣＰレイヤ５１５、ＲＬＣレイヤ５２０、ＭＡＣレイヤ５２５、およびＰＨＹレイヤ５３０は、各々ＡＮによって実装され得る。第２のオプション５０５−ｂは、フェムトセル展開において有用であり得る。
【００４８】
[0058]ネットワークアクセスデバイスが、プロトコルスタックの一部を実装するのか全部を実装するのかにかかわらず、ＵＥは、プロトコルスタック全体（たとえば、ＲＲＣレイヤ５１０、ＰＤＣＰレイヤ５１５、ＲＬＣレイヤ５２０、ＭＡＣレイヤ５２５、およびＰＨＹレイヤ５３０）を実装し得る。
【００４９】
[0059]図６は、（たとえば、スロットとも呼ばれる）ＤＬセントリックサブフレーム６００の一例を示す図である。ＤＬセントリックサブフレーム６００は制御部分６０２を含み得る。制御部分６０２は、ＤＬセントリックサブフレームの初期または開始部分中に存在し得る。制御部分６０２は、ＤＬセントリックサブフレーム６００の様々な部分に対応する様々なスケジューリング情報および／または制御情報を含み得る。いくつかの構成では、制御部分６０２は、図６に示されているように、物理ＤＬ制御チャネル（ＰＤＣＣＨ）であり得る。ＤＬセントリックサブフレーム６００は、ＤＬデータ部分６０４をも含み得る。ＤＬデータ部分６０４は、ＤＬセントリックサブフレーム６００のペイロードと呼ばれることがある。ＤＬデータ部分６０４は、スケジューリングエンティティ（たとえば、ＵＥまたはＢＳ）から下位エンティティ（たとえば、ＵＥ）にＤＬデータを通信するために利用される通信リソースを含み得る。いくつかの構成では、ＤＬデータ部分６０４は、物理ＤＬ共有チャネル（ＰＤＳＣＨ）であり得る。
【００５０】
[0060]ＤＬセントリックサブフレーム６００は、共通ＵＬ部分６０６をも含み得る。共通ＵＬ部分６０６は、時々、ＵＬバースト、共通ＵＬバースト、および／または様々な他の好適な用語で呼ばれることがある。共通ＵＬ部分６０６は、ＤＬセントリックサブフレーム６００の様々な他の部分に対応するフィードバック情報を含み得る。たとえば、共通ＵＬ部分６０６は、制御部分６０２に対応するフィードバック情報を含み得る。フィードバック情報の非限定的な例は、ＡＣＫ信号、ＮＡＣＫ信号、ＨＡＲＱインジケータ、および／または様々な他の好適なタイプの情報を含み得る。共通ＵＬ部分６０６は、ランダムアクセスチャネル（ＲＡＣＨ）プロシージャに関係する情報、スケジューリング要求（ＳＲ）、および様々な他の好適なタイプの情報など、追加または代替の情報を含み得る。図６に示されているように、ＤＬデータ部分６０４の終端は、共通ＵＬ部分６０６の始端から時間的に分離され得る。この時間分離は、ギャップ、ガード期間、ガードインターバル、および／または様々な他の好適な用語で呼ばれることがある。この分離は、ＤＬ通信（たとえば、下位エンティティ（たとえば、ＵＥ）による受信動作）からＵＬ通信（たとえば、下位エンティティ（たとえば、ＵＥ）による送信）へのスイッチオーバーのための時間を与える。当業者は、上記が、ＤＬセントリックサブフレームの一例にすぎず、同様の特徴を有する代替構造が、本明細書で説明される態様から必ずしも逸脱することなしに存在し得ることを理解するであろう。
【００５１】
[0061]図７は、ＵＬセントリックサブフレーム７００の一例を示す図である。ＵＬセントリックサブフレーム７００は制御部分７０２を含み得る。制御部分７０２は、ＵＬセントリックサブフレーム７００の初期または開始部分中に存在し得る。図７中の制御部分７０２は、図６を参照しながら上記で説明された制御部分６０２と同様であり得る。ＵＬセントリックサブフレーム７００は、ＵＬデータ部分７０４をも含み得る。ＵＬデータ部分７０４は、ＵＬセントリックサブフレームのペイロードと呼ばれることがある。ＵＬ部分は、下位エンティティ（たとえば、ＵＥ）からスケジューリングエンティティ（たとえば、ＵＥまたはＢＳ）にＵＬデータを通信するために利用される通信リソースを指し得る。いくつかの構成では、制御部分７０２はＰＤＣＣＨであり得る。
【００５２】
[0062]図７に示されているように、制御部分７０２の終端は、ＵＬデータ部分７０４の始端から時間的に分離され得る。この時間分離は、ギャップ、ガード期間、ガードインターバル、および／または様々な他の好適な用語で呼ばれることがある。この分離は、ＤＬ通信（たとえば、スケジューリングエンティティによる受信動作）からＵＬ通信（たとえば、スケジューリングエンティティによる送信）へのスイッチオーバーのための時間を与える。ＵＬセントリックサブフレーム７００は、共通ＵＬ部分７０６をも含み得る。図７中の共通ＵＬ部分７０６は、図６を参照しながら上記で説明された共通ＵＬ部分６０６と同様であり得る。共通ＵＬ部分７０６は、追加または代替の、チャネル品質インジケータ（ＣＱＩ）に関係する情報、サウンディング基準信号（ＳＲＳ）、および様々な他の好適なタイプの情報を含み得る。当業者は、上記が、ＵＬセントリックサブフレームの一例にすぎず、同様の特徴を有する代替構造が、本明細書で説明される態様から必ずしも逸脱することなしに存在し得ることを理解するであろう。
【００５３】
[0063]いくつかの状況では、２つまたはそれ以上の下位エンティティ（たとえば、ＵＥ）が、サイドリンク信号を使用して互いと通信し得る。そのようなサイドリンク通信の現実世界の適用例は、公共安全、近接サービス、ＵＥネットワーク間中継、車両間（Ｖ２Ｖ）通信、あらゆるモノのインターネット（ＩｏＥ）通信、ＩｏＴ通信、ミッションクリティカルなメッシュ、および／または様々な他の好適な適用例を含み得る。概して、サイドリンク信号は、スケジューリングエンティティ（たとえば、ＵＥまたはＢＳ）が、スケジューリングおよび／または制御目的のために利用され得るが、スケジューリングエンティティを通してその通信を中継することなしに、ある下位エンティティ（たとえば、ＵＥ１）から別の下位エンティティ（たとえば、ＵＥ２）に通信される信号を指し得る。いくつかの例では、サイドリンク信号は、（一般的に、無認可スペクトルを使用するワイヤレスローカルエリアネットワークとは異なり）認可スペクトルを使用して通信され得る。
【００５４】
制御リソースセット（ＣＯＲＥＳＥＴ）
[0064]新無線（ＮＲ）（たとえば、５Ｇ）規格に従って動作する通信システムでは、物理ダウンリンク制御チャネル（ＰＤＣＣＨ）上で搬送され得る、ダウンリンク制御情報（ＤＣＩ）などの制御情報の送信のための１つまたは複数の制御リソースセット（ｃｏｒｅｓｅｔ）が、サポートされ得る。ｃｏｒｅｓｅｔは、制御情報を伝達するために構成された１つまたは複数の制御リソース（たとえば、時間および周波数リソース）を含み得る。各ｃｏｒｅｓｅｔ内で、１つまたは複数の探索空間（たとえば、共通探索空間、ＵＥ固有探索空間など）が、所与のＵＥのために定義され得る。本明細書で使用される探索空間という用語は、概して、ＰＤＣＣＨなど、定義されたフォーマットのチャネルのための異なる復号候補がその上で送信され得る、リソースのセットを指す。各復号候補は、１つの有効なチャネル送信のためのリソースを指す。有効な復号候補の数は、探索空間のサイズおよび各チャネルのサイズ（ペイロード）に依存する。
【００５５】
[0065]ｃｏｒｅｓｅｔは、リソース要素グループ（ＲＥＧ）の単位で定義され得る。各ＲＥＧは、１つのシンボル期間（たとえば、スロットのシンボル期間）中の固定数（たとえば、１２個、または何らかの他の数）のトーンを含み得、ここで、１つのシンボル期間中の１つのトーンは、リソース要素（ＲＥ）と呼ばれる。固定数のＲＥＧが制御チャネル要素（ＣＣＥ）中に含まれ得る（たとえば、ＣＣＥが、６つのＲＥＧを含み得る）。ＣＣＥのセットが、ＮＲ−ＰＤＣＣＨを送信するために使用され得、そのセット中の異なる数のＣＣＥが、異なるアグリゲーションレベルを使用してＮＲ−ＰＤＣＣＨを送信するために使用される。ＣＣＥの複数のセットが、ＵＥのための探索空間として定義され得、したがって、ノードＢまたは他の基地局が、ＣＣＥのセット中で、ＵＥのための探索空間内の復号候補として定義されるＮＲ−ＰＤＣＣＨを送信することによって、ＵＥにＮＲ−ＰＤＣＣＨを送信し得、ＵＥは、ＵＥのための探索空間中で探索することと、ノードＢによって送信されたＮＲ−ＰＤＣＣＨを復号することとによって、ＮＲ−ＰＤＣＣＨを受信し得る。
【００５６】
[0066]いくつかの態様では、（たとえば、ＮＲをサポートする通信システムにおける）次世代ノードＢ（たとえば、ｇＮＢ）が、複数のシンボル期間（たとえば、ＯＦＤＭシンボル期間）にわたる異なる長さのｃｏｒｅｓｅｔをサポートし得る。すなわち、制御チャネル候補が、単一のＯＦＤＭまたは複数（たとえば、２つ、３つなど）のＯＦＤＭシンボルにマッピングされ得る。ｃｏｒｅｓｅｔは、異なるアグリゲーションレベルに関連付けられ得る。
【００５７】
例示的なキャリア依存ＲＡＣＨ応答探索空間
[0067]いくつかのワイヤレス通信システム展開が、キャリアアグリゲーション（ＣＡ）方式の一部として、複数のダウンリンク（ＤＬ）コンポーネントキャリア（ＣＣ）を利用する。たとえば、１次ＤＬ  ＣＣに加えて、１つまたは複数の補助ＤＬ（ＳＤＬ）ＣＣが、データスループットおよび／または信頼性を向上させるために使用され得る。補助ＤＬは、概して、セル中の対応するＵＬ  ＣＣをもたないＤＬ  ＣＣを指し得る。言い換えれば、ＳＤＬは、概して、デバイスの観点から、キャリアのためのＤＬリソースのみがある場合を指し得る。
【００５８】
[0068]図８に示されているように、ＮＲでは、補助ＵＬ（ＳＵＬ）も利用され得る。補助ＵＬは、概して、セル中の対応するＤＬ  ＣＣをもたないＵＬ  ＣＣを指し得る。言い換えれば、ＳＵＬは、概して、ＮＲデバイスの観点から、キャリアのためのＵＬリソースのみがある場合を指し得る。
【００５９】
[0069]本開示の態様は、（１次）ＵＬ  ＣＣまたはＳＵＬ  ＣＣのいずれか上のＲＡＣＨ送信を可能にするシステムにおいて、ＲＡＣＨプロシージャをサポートし、可能にするのを助け得る、技法を提供する。
【００６０】
[0070]ＳＵＬ  ＣＣは、ＮＲ  ＴＤＤシナリオおよびＮＲ周波数分割複信（ＦＤＤ）シナリオのためのコンプリメンタリーアクセスリンクとして使用され得る。言い換えれば、ＵＥは、ＮＲ  ＴＤＤ／ＦＤＤアップリンク周波数またはＳＵＬ周波数のいずれかにおいて、ＰＲＡＣＨリソースを選択し得る。ＳＵＬ周波数は、（たとえば、少なくとも、ＮＲスペクトルが６ＧＨｚを下回る場合に）ＬＴＥ  ＵＬと共有される周波数であり得る。
【００６１】
[0071]そのような共存を可能にするために、ＮＲ物理レイヤ設計への影響を最小限に抑えることが望ましいことがある。ＮＲでは、ＵＥ初期アクセスが、ＳＵＬキャリアのためのＲＡＣＨ構成に基づき得る。ＳＵＬキャリアのためのＲＡＣＨ構成は、たとえば、残存最小システム情報（ＲＭＳＩ：remaining minimum system information）中でブロードキャストされ得る。
【００６２】
[0072]ＳＵＬキャリアのための構成情報は、ＵＥがそのＳＵＬキャリアのみを介してＲＡＣＨプロシージャを完了するのに十分であり得る（たとえば、構成情報は、すべての必要な電力制御パラメータを含み得る）。
【００６３】
[0073]いくつかの場合には、ＳＵＬキャリアのための構成情報は、しきい値をも含み得る。たとえば、ＵＥは、ＵＥがＲＭＳＩを受信するＤＬキャリア上でＵＥによって測定される基準信号受信電力（ＲＳＲＰ）がしきい値を下回る場合（および、おそらくその場合のみ）、初期アクセスのためにそのＳＵＬキャリアを選択するように構成され得る。
【００６４】
[0074]ＵＥがＳＵＬキャリア上でＲＡＣＨプロシージャを開始した場合、ＲＡＣＨプロシージャは、すべてのアップリンク送信（たとえば、Ｍｓｇ１、Ｍｓｇ３）がそのキャリア上で行われて完了され得る。ネットワークは、接続モードＵＥに、経路損失およびタイミングアドバンス収集のために、任意のアップリンクキャリアに向けてＲＡＣＨプロシージャを開始することを要求することが可能であり得る。
【００６５】
[0075]ＳＵＬ上のＲＡＣＨプロシージャを可能にすることは、様々な課題を提示し得る。たとえば、ＳＵＬがＮＲ  ＴＤＤ／ＦＤＤキャリアとペアリングされ、ＰＲＡＣＨリソースが、ＳＵＬキャリアおよびＴＤＤ／ＦＤＤキャリア上で利用可能である場合、ＳＵＬ上のＲＡＣＨプロシージャを可能にすることはＲＡプロシージャ中の衝突確率を増加させる。
【００６６】
[0076]これは、ＵＥ１およびＵＥ２という２つのＵＥを伴う例を考慮することによって示され得る。ＰＲＡＣＨ送信のために、ＵＥ１がＳＵＬキャリアを選択し、ＵＥ２がＮＲ  ＴＤＤ／ＦＤＤキャリアを選択した場合。それら２つのＵＥが、同じ周波数リソースインデックスをもつ、ＰＲＡＣＨのための周波数リソースを選択した場合、Ｍｓｇ１送信中に衝突が起こらなくても、２つのＵＥは、ランダムアクセス無線ネットワーク一時識別子（ＲＡ−ＲＮＴＩ：random access radio network temporary identifier）決定のＬＴＥ方式が適用された場合、同じＰＤＣＣＨと関連するＭｓｇ２、同じＲＡ−ＲＮＴＩをもつランダムアクセス応答（ＲＡＲ）とを検出し得る。
【００６７】
[0077]ＬＴＥにおける４ステップランダムアクセス（ＲＡ）プロシージャにおいて、ＵＥは、Ｍｓｇ２（ＲＡＲ）を検出するために、ＰＲＡＣＨプリアンブルの送信の後のＲＡ応答ウィンドウ中で、ＲＡ−ＲＮＴＩによって識別されるＰＤＣＣＨを監視する。一例としてＦＤＤ  ＬＴＥをとると、ＲＡ−ＲＮＴＩは次のように算出される。
【００６８】
【数１】
2020537407.tif 000003
【００６９】
ここで、ｔ＿ｉｄおよびｆ＿ｉｄは、ＰＲＡＣＨの時間リソースインデックスおよび周波数リソースインデックスである。
【００７０】
[0078]本開示の態様は、ＲＡＣＨ応答（ＲＡＲ）のための探索空間をＲＡＣＨ送信のために使用されるＵＬ  ＣＣに（たとえば、対応するキャリアインデックスに基づいて）少なくとも部分的に依存させることによって、ＲＡＣＨプロシージャのためにＳＵＬの使用を適応させるのを助け得る。
【００７１】
[0079]図９は、本開示の態様による、ＵＥによるワイヤレス通信のための例示的な動作９００を示す。動作９００は、たとえば、図１に示されているＵＥ１２０によって実施され得る。
【００７２】
[0080]動作９００は、９０２において、少なくとも２つの利用可能なアップリンクキャリアから選択されたアップリンクキャリア上でランダムアクセスチャネル（ＲＡＣＨ）を送信することによって開始する。９０４において、ＵＥは、ＲＡＣＨがその上で送信されたアップリンクキャリアに基づいて、ダウンリンクキャリア上で送信されるランダムアクセスチャネル応答（ＲＡＲ）を監視するための探索空間を決定する。９０６において、ＵＥは、決定された探索空間中でＲＡＲを監視する。
【００７３】
[0081]図１０は、本開示の態様による、ワイヤレス通信のための例示的な動作１０００を示す。動作１０００は、上記で説明されたＳＵＬベースのＲＡＣＨ動作９００を実施するＵＥとの初期アクセスを実施する、図１に示されているＢＳ１１０などの基地局（たとえば、ｇＮＢ）によって実施され得る。
【００７４】
[0082]動作１０００は、１００２において、少なくとも２つの利用可能なアップリンクキャリアからのアップリンクキャリア上でランダムアクセスチャネル（ＲＡＣＨ）を受信することによって開始する。１００４において、ｇＮＢは、ＲＡＣＨがその上で送信されたアップリンクキャリアに基づいて、ダウンリンクキャリア上でランダムアクセスチャネル応答（ＲＡＲ）を送信するために使用すべき探索空間を決定する。１００６において、ｇＮＢは、決定された探索空間中でＲＡＲを送信する。
【００７５】
[0083]図１１は、ＲＡＲのための探索空間が、ＲＡＣＨ送信のために選択されたＵＬ  ＣＣにどのように依存し得るかを示す。言い換えれば、ＲＡＣＨが、第１のＵＬ（たとえば、ＮＲ  ＴＤＤ／ＦＤＤキャリア）上で送られた場合、第１の探索空間が決定され得、その第１の探索空間の復号候補がＲＡＲについて監視され得る。
【００７６】
[0084]一方、ＲＡＣＨがＳＵＬ  ＣＣ上で送られた場合、第２の探索空間が決定され得、（その第２の探索空間の復号候補が）ＲＡＲについて監視され得る。したがって、ＲＡＲのための探索空間を決定することが可能であることは、ＵＥが監視しなければならない復号候補の数を低減し（それにより処理オーバーヘッドを低減し）得る。
【００７７】
[0085]上述のように、制御リソースセット（ｃｏｒｅｓｅｔ）は複数の探索空間を含み得る。いくつかの態様によれば、同じｃｏｒｅｓｅｔ内で、ＲＡＲ送信のための複数の探索空間のうちの１つが、ＲＡＣＨ送信のために選択されたキャリアに基づいて（たとえば、選択されたキャリアのキャリアインデックスに基づいて）割り当てられ得る。
【００７８】
[0086]いくつかの場合には、定義された別個のｃｏｒｅｓｅｔがあり得、ＲＡＲ送信のために使用される別個のｃｏｒｅｓｅｔのうちの１つが、ＲＡＣＨ送信のために選択されたキャリアに（たとえば、選択されたキャリアのキャリアインデックスに基づいて）依存し得る。その結果、異なるキャリアに対応する探索空間も異なる。
【００７９】
[0087]図１２に示されているように、いくつかの場合には、ＲＡＣＨ送信のために選択されたＵＬキャリアのキャリアインデックスに基づいてＲＡＲ探索空間を決定することに加えて、ＲＡ−ＲＮＴＩも、選択されたＵＬキャリアに基づき得る。いくつかの場合には、２つのキャリアが、異なるヌメロロジーを有する場合、ＲＡ−ＲＮＴＩもヌメロロジーに基づき得、これは、ＲＡＲ送信をさらに区別するのを助け得る。
【００８０】
[0088]本明細書で使用されるヌメロロジーという用語は、概して、トーン間隔、および／またはサイクリックプレフィックス長など、キャリアにおける送信のために使用されるパラメータのセットを指す。
【００８１】
[0089]追加として、または代替として、探索空間もヌメロロジーに基づいて決定され得る。そのような場合には、ＲＡＣＨがその上で送信されたアップリンクキャリアのためのヌメロロジーに基づいて、同じｃｏｒｅｓｅｔ内の少なくとも２つの異なる探索空間から探索空間が選択され得る。
【００８２】
[0090]本明細書で開示される方法は、説明される方法を達成するための１つまたは複数のステップまたはアクションを備える。本方法のステップおよび／またはアクションは、特許請求の範囲の範囲から逸脱することなく、互いに交換され得る。言い換えれば、ステップまたはアクションの特定の順序が指定されていない限り、特定のステップおよび／またはアクションの順序および／または使用は、特許請求の範囲の範囲から逸脱することなく改変され得る。
【００８３】
[0091]本明細書で使用される、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じ要素を用いた任意の組合せ（たとえば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）を包含するものとする。
【００８４】
[0092]本明細書で使用される「決定すること」という用語は、多種多様なアクションを包含する。たとえば、「決定すること」は、計算すること、算出すること、処理すること、導出すること、調査すること、探索すること（たとえば、テーブル、データベース、または別のデータ構造の中で探索すること）、確認することなどを含み得る。また、「決定すること」は、受信すること（たとえば、情報を受信すること）、アクセスすること（たとえば、メモリ中のデータにアクセスすること）などを含み得る。さらに、「決定すること」は、解決すること、選択すること、選ぶこと、確立することなどを含み得る。
【００８５】
[0093]以上の説明は、当業者が本明細書で説明される様々な態様を実施できるようにするために提供されたものである。これらの態様に対する様々な改変は当業者には容易に明らかであり、本明細書で定義される一般的原理は他の態様に適用され得る。したがって、特許請求の範囲は、本明細書で示される態様に限定されるものではなく、特許請求の範囲の言い回しに矛盾しない全範囲を与えられるべきであり、ここにおいて、単数形の要素への言及は、そのように明記されていない限り、「唯一無二の」を意味するものではなく、「１つまたは複数の」を意味するものである。別段に明記されていない限り、「いくつかの（some）」という用語は１つまたは複数を指す。当業者に知られている、または後に知られることになる、本開示全体にわたって説明される様々な態様の要素のすべての構造的および機能的等価物は、参照により本明細書に明確に組み込まれ、特許請求の範囲に包含されるものである。その上、本明細書で開示されるいかなることも、そのような開示が特許請求の範囲に明示的に記載されているか否かにかかわらず、公に供するものではない。いかなるクレーム要素も、その要素が「ための手段」という句を使用して明確に具陳されていない限り、または方法クレームの場合には、その要素が「ためのステップ」という句を使用して具陳されていない限り、米国特許法第１１２条第６項の規定の下で解釈されるべきではない。
【００８６】
[0094]上記で説明された方法の様々な動作は、対応する機能を実施することが可能な任意の好適な手段によって実施され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。概して、図に示されている動作がある場合、それらの動作は、同様の番号をもつ対応するカウンターパートのミーンズプラスファンクション構成要素を有し得る。
【００８７】
[0095]たとえば、送信するための手段および／または受信するための手段は、基地局１１０の送信プロセッサ４２０、ＴＸ  ＭＩＭＯプロセッサ４３０、受信プロセッサ４３８、または（１つまたは複数の）アンテナ４３４、および／あるいはユーザ機器１２０の送信プロセッサ４６４、ＴＸ  ＭＩＭＯプロセッサ４６６、受信プロセッサ４５８、または（１つまたは複数の）アンテナ４５２のうちの１つまたは複数を備え得る。さらに、生成するための手段、多重化するための手段、および／または適用するための手段は、基地局１１０のコントローラ／プロセッサ４４０および／またはユーザ機器１２０のコントローラ／プロセッサ４８０など、１つまたは複数のプロセッサを備え得る。
【００８８】
[0096]本開示に関連して説明される様々な例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス（ＰＬＤ）、個別ゲートもしくはトランジスタ論理、個別ハードウェア構成要素、または本明細書で説明される機能を実施するように設計された、それらの任意の組合せを用いて実装または実施され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと併用される１つもしくは複数のマイクロプロセッサ、または任意の他のそのような構成として実装され得る。
【００８９】
[0097]ハードウェアで実装される場合、例示的なハードウェア構成は、ワイヤレスノード中に処理システムを備え得る。処理システムは、バスアーキテクチャを用いて実装され得る。バスは、処理システムの特定の適用例および全体的な設計制約に応じて、任意の数の相互接続バスおよびブリッジを含み得る。バスは、プロセッサと、機械可読媒体と、バスインターフェースとを含む様々な回路を互いにリンクし得る。バスインターフェースは、ネットワークアダプタを、特に、バスを介して処理システムに接続するために使用され得る。ネットワークアダプタは、ＰＨＹレイヤの信号処理機能を実装するために使用され得る。ユーザ端末１２０（図１参照）の場合、ユーザインターフェース（たとえば、キーパッド、ディスプレイ、マウス、ジョイスティックなど）もバスに接続され得る。バスはまた、タイミングソース、周辺機器、電圧調整器、電力管理回路などの様々な他の回路をリンクし得るが、それらは当技術分野でよく知られており、したがって、これ以上説明されない。プロセッサは、１つまたは複数の汎用および／または専用プロセッサを用いて実装され得る。例は、マイクロプロセッサ、マイクロコントローラ、ＤＳＰプロセッサ、およびソフトウェアを実行することができる他の回路を含む。当業者は、特定の適用例と、全体的なシステムに課される全体的な設計制約とに応じて、どのようにしたら処理システムについて説明された機能性を最も良く実装し得るかを認識するであろう。
【００９０】
[0098]ソフトウェアで実装される場合、機能は、１つもしくは複数の命令またはコードとしてコンピュータ可読媒体上に記憶されるか、あるいはコンピュータ可読媒体を介して送信され得る。ソフトウェアは、ソフトウェア、ファームウェア、ミドルウェア、マイクロコード、ハードウェア記述言語などの名称にかかわらず、命令、データ、またはそれらの任意の組合せを意味すると広く解釈されたい。コンピュータ可読媒体は、ある場所から別の場所へのコンピュータプログラムの転送を可能にする任意の媒体を含む、コンピュータ記憶媒体とコンピュータ通信媒体の両方を含む。プロセッサは、機械可読記憶媒体に記憶されたソフトウェアモジュールの実行を含む、バスおよび一般的な処理を管理することを担当し得る。コンピュータ可読記憶媒体は、プロセッサがその記憶媒体から情報を読み取ることができ、その記憶媒体に情報を書き込むことができるように、プロセッサに結合され得る。代替として、記憶媒体はプロセッサと一体であり得る。例として、機械可読媒体は、すべてがバスインターフェースを介してプロセッサによってアクセスされ得る、伝送線路、データによって変調された搬送波、および／またはワイヤレスノードとは別個のその上に記憶された命令をもつコンピュータ可読記憶媒体を含み得る。代替的に、または追加として、機械可読媒体またはその任意の部分は、キャッシュおよび／または汎用レジスタファイルがそうであり得るように、プロセッサに統合され得る。機械可読記憶媒体の例は、例として、ＲＡＭ（ランダムアクセスメモリ）、フラッシュメモリ、ＲＯＭ（読取り専用メモリ）、ＰＲＯＭ（プログラマブル読取り専用メモリ）、ＥＰＲＯＭ（消去可能プログラマブル読取り専用メモリ）、ＥＥＰＲＯＭ（登録商標）（電気消去可能プログラマブル読取り専用メモリ）、レジスタ、磁気ディスク、光ディスク、ハードドライブ、もしくは任意の他の好適な記憶媒体、またはそれらの任意の組合せを含み得る。機械可読媒体はコンピュータプログラム製品において実施され得る。
【００９１】
[0099]ソフトウェアモジュールは、単一の命令または多数の命令を備え得、いくつかの異なるコードセグメント上で、異なるプログラム間で、および複数の記憶媒体にわたって分散され得る。コンピュータ可読媒体は、いくつかのソフトウェアモジュールを備え得る。ソフトウェアモジュールは、プロセッサなどの装置によって実行されたときに、処理システムに様々な機能を実施させる命令を含む。ソフトウェアモジュールは、送信モジュールと受信モジュールとを含み得る。各ソフトウェアモジュールは、単一の記憶デバイス中に常駐するか、または複数の記憶デバイスにわたって分散され得る。例として、トリガイベントが発生したとき、ソフトウェアモジュールがハードドライブからＲＡＭにロードされ得る。ソフトウェアモジュールの実行中、プロセッサは、アクセス速度を高めるために、命令のいくつかをキャッシュにロードし得る。次いで、１つまたは複数のキャッシュラインが、プロセッサによる実行のために汎用レジスタファイルにロードされ得る。以下でソフトウェアモジュールの機能性に言及する場合、そのような機能性は、そのソフトウェアモジュールからの命令を実行したときにプロセッサによって実装されることが理解されよう。
【００９２】
[0100]また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線（ＩＲ）、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備え得る。さらに、他の態様では、コンピュータ可読媒体は一時的コンピュータ可読媒体（たとえば、信号）を備え得る。上記の組合せもコンピュータ可読媒体の範囲内に含まれるべきである。
【００９３】
[0101]したがって、いくつかの態様は、本明細書で提示される動作を実施するためのコンピュータプログラム製品を備え得る。たとえば、そのようなコンピュータプログラム製品は、本明細書で説明される動作を実施するために１つまたは複数のプロセッサによって実行可能である命令を記憶した（および／または符号化した）コンピュータ可読媒体を備え得る。たとえば、本明細書で説明され、図９および図１０に示されている動作を実施するための命令。
【００９４】
[0102]さらに、本明細書で説明される方法および技法を実施するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明される方法を実施するための手段の転送を可能にするためにサーバに結合され得る。代替的に、本明細書で説明される様々な方法は、ユーザ端末および／または基地局が記憶手段（たとえば、ＲＡＭ、ＲＯＭ、コンパクトディスク（ＣＤ）またはフロッピーディスクなどの物理記憶媒体など）をデバイスに結合するかまたは与えると様々な方法を得ることができるように、記憶手段によって提供され得る。その上、本明細書で説明される方法および技法をデバイスに提供するための任意の他の好適な技法が利用され得る。
【００９５】
[0103]特許請求の範囲は、上記で示された厳密な構成および構成要素に限定されないことを理解されたい。上記で説明された方法および装置の構成、動作ならびに詳細において、特許請求の範囲の範囲から逸脱することなく、様々な改変、変更および変形が行われ得る。
【図１】
2020537407.tif 000004
【図２】
2020537407.tif 000005
【図３】
2020537407.tif 000006
【図４】
2020537407.tif 000007
【図５】
2020537407.tif 000008
【図６】
2020537407.tif 000009
【図７】
2020537407.tif 000010
【図８】
2020537407.tif 000011
【図９】
2020537407.tif 000012
【図１０】
2020537407.tif 000013
【図１１】
2020537407.tif 000014
【図１２】
2020537407.tif 000015
【国際調査報告】
2020537407.tif 000016
2020537407.tif 000017
2020537407.tif 000018